(57)【要約】【課題】還元水のミストが簡単に製造できるミスト発生装置を提供する。【解決手段】水槽の内部に、水面寄りに第１の電極１を配置し、第１の電極１の下方に第２の電極２を配置し、第１の電極１または第２の電極２のいずれか一方に超音波発振器５に接続された超音波振動子４を取り付け、第１の電極１と第２の電極２とを直流電源７に接続し、第１の電極１と第２の電極２との間で水Ｗを電気分解作用で酸化あるいは還元するとともに、第２の電極２を超音波振動させて水面からミストを発生させるようにした。【選択図】図１
2006095502.tif 000002
【特許請求の範囲】
【請求項１】
水槽の内部に、水面寄りに第１の電極を配置し、該第１の電極の下方に第２の電極を配置し、該第１の電極または第２の電極のいずれか一方に超音波発振器に接続された超音波振動子を取り付け、前記第１の電極と第２の電極とを直流電源に接続し、第１の電極と第２の電極との間で水を電気分解作用で酸化あるいは還元するとともに、前記超音波振動子が取り付けられた電極を超音波振動させて水面からミストを発生させるようにしたことを特徴とするミスト発生装置。
【請求項２】
前記第１の電極が、水が通過可能の導電性部材で形成されていることを特徴とする請求項１記載のミスト発生装置。
【請求項３】
前記第１の電極を陰極（または陽極）、第２の電極を陽極（または陰極）としたことを特徴とする請求項１または２記載のミスト発生装置。
【請求項４】
前記水槽内の水を流動させて入れ替えるようにしたことを特徴とする請求項１ないし３のいずれかに記載のミスト発生装置。
【請求項５】
容器の下部に、請求項１ないし４のいずれかに記載のミスト発生装置を設け、容器の上部空間部に吹出口を設け、該吹出口の後部にファンを設け、前記吹出口を閉じた空間に連接し、前記吹出口から吹き出される還元水ミストを前記閉じた空間に供給するようにしたことを特徴とする還元水ミスト雰囲気形成装置。
【請求項６】
卓上容器の下部に、請求項１ないし４のいずれかに記載のミスト発生装置を設け、卓上容器の上部空間部の前部に顔に吹きつけるミストを噴出させる吹出口を設けたことを特徴とする美顔器。
【発明の詳細な説明】
【技術分野】
【０００１】  本発明は、還元水または酸化水のミストを発生するミスト発生装置、このミスト発生装置を使用する還元水ミスト雰囲気形成装置、および美顔器に関する。
【背景技術】
【０００２】  従来、水等の液体に超音波振動子の振動を与えることにより、液体からミストを生成する装置がある（例えば、特許文献１参照）。この特許文献１に記載されている装置は、ミストが生成される際にミストに帯電させることにより、正または負の電荷を持つ帯電ミストを生成するものである。
また、電解イオン水を製造する装置として、陰極に超音波振動子を取り付け、陰極を超音波振動させることにより、陰極表面への付着物を除去するようにした整水器がある（例えば、特許文献２参照）【０００４】
【特許文献１】  特開２００３−１１２０８５号公報
【特許文献２】  特開平６−２７７６６８号公報
【発明の開示】
【発明が解決しようとする課題】
【０００５】  一般に、電解還元水（以下、還元水と称す）が胃腸内異常発酵や消化不良等に効能があることが認められている。近年、この水が人体の活性酸素を除去する効果があることや、肌につけることにより、酸化によって発生するシミ、ソバカス等を除いて肌を若返らせる効果、また、食品に吹き付けておくと食品の腐敗を防ぐ効果があり、さらには農業において、堆肥の熟成を早めたり、酸性土壌の害や連作障害を緩和したり等、さまざまな効果があることが判明しつつある。【０００６】  飲料水として用いる場合は、還元水のままでよいが、室内の加湿器として利用する場合や、例えば食品の腐敗を遅らせるため、食品ケースや冷蔵庫内に還元水を満たすような場合は、還元水をミスト化する必要がある。
従来、超音波振動子によるミスト発生装置は、加湿器等において周知であるが、この種の装置は、通常の水が気化しただけのものである。これに対して、特許文献１の装置では、帯電させたミストが得られるが、還元水のミストは得られず、また、特許文献２の整水器では、還元水を製造できるがミストは得られない。【０００７】  本発明は、上述のような従来の課題を解決するためになされたもので、その目的は、還元水のミストを発生させることができるミスト発生装置、このミスト発生装置を使用する還元水ミスト雰囲気形成装置、および美顔器を提供することにある。
【課題を解決するための手段】
【０００８】  請求項１記載の発明は、ミスト発生装置であって、水槽の内部に、水面寄りに第１の電極を配置し、該第１の電極の下方に第２の電極を配置し、該第１の電極または第２の電極のいずれか一方に超音波発振器に接続された超音波振動子を取り付け、前記第１の電極と第２の電極とを直流電源に接続し、第１の電極と第２の電極との間で水を電気分解作用で酸化あるいは還元するとともに、前記超音波振動子が取り付けられた電極を超音波振動させて水面からミストを発生させるようにしたことを特徴とする。【０００９】  請求項２記載の発明は、請求項１記載のミスト発生装置であって、前記第１の電極が、水が通過可能の導電性部材で形成されていることを特徴とする。【００１０】  請求項３記載の発明は、請求項１または２記載のミスト発生装置であって、ミスト発生装置、前記第１の電極を陰極（または陽極）、第２の電極を陽極（または陰極）としたことを特徴とする。【００１１】  請求項４記載の発明は、請求項１ないし３のいずれかに記載のミスト発生装置であって、前記水槽内の水を流動させて入れ替えるようにしたことを特徴とする。【００１２】  請求項５記載の発明は、還元水ミスト雰囲気形成装置であって、容器の下部に、請求項１ないし４のいずれかに記載のミスト発生装置を設け、容器の上部空間部に吹出口を設け、該吹出口の後部にファンを設け、前記吹出口を閉じた空間に連接し、前記吹出口から吹き出される還元水ミストを前記閉じた空間に供給するようにしたことを特徴とする。【００１３】  請求項１記載の発明は、美顔器であって、卓上容器の下部に、請求項１ないし４のいずれかに記載のミスト発生装置を設け、卓上容器の下部に、請求項１ないし４のいずれかに記載のミスト発生装置を設け、容器の上部空間部の前部に顔に吹きつけるミストを噴出させる吹出口を設けたことを特徴とする。
【発明の効果】
【００１４】  請求項１記載の発明によれば、水面寄りの第１の電極と、これと対向する第２の電極との間で電気分解をおこなうとともに、いずれかの電極を超音波振動させてミストを発生させるようにしたので、還元水のミストが低コストで得られ、健康増進、環境改善、食品保全等、種々の用途に利用できる。【００１５】  請求項２記載の発明によれば、第１の電極を水の通過可能の導電板で形成することにより、還元水が第１の電極から通過し、水面から還元水ミストを発生させることができる。【００１６】  請求項３記載の発明によれば、第１の電極を陰極、第２の電極を陽極とすることにより、還元水ミストが得られ、これと逆の極性とすることにより、酸性水ミストが得られる。【００１７】  請求項４記載の発明によれば、水槽内の水を流動させて入れ替えることにより、長時間還元水ミストを発生させることができる。【００１８】  請求項５記載の発明によれば、ミスト発生装置から発生する還元水ミストを吹出口から吹き出して閉じた空間に供給することにより、居室、生鮮食料品ケース、冷蔵庫等の任意の空間を還元水ミスト雰囲気とすることができる。これにより、居室の清浄化、生鮮食料品の鮮度維持等の効果を向上させることができる。【００１９】  請求項６記載の発明によれば、吹出口から噴出するミストを顔に当てることにより、美顔効果を得ることができる。
【発明を実施するための最良の形態】
【００２０】  以下、本発明の一実施形態を、図面に基づいて説明する。
図１および図２は、本発明のミスト発生装置の第１実施形態を示す。【００２１】  同図に示すように、本実施形態のミスト発生装置Ａは、水Ｗを収容した水槽３を備え、この水槽３の上部の水面付近に第１の電極１が、第１の電極１の下方には第２の電極２が、それぞれ取り付けられている。【００２２】  第２の電極２には、超音波振動子４が接着等により取り付けられている。この超音波振動子４にリード１５が接続され、このリード１５には超音波発振器５が接続されている。第１の電極１は、多数の孔６が形成された導体の板であって、できるだけ水面に近い場所に配置されている。第１の電極１と第２の電極２には直流電源７が接続されている。【００２３】  直流電源７から通電により、水Ｗは電気分解され、陰極である第１の電極１側に還元水が、陽極である第２の電極２側に酸化水がそれぞれ生成される。超音波発振器５の動作にともなって、超音波振動子４により第２の電極４に超音波振動が付与され、水面からミストが発生する。このミストは、水面付近から発生するため、還元水ミストとなって上昇する。【００２４】  第１の電極１は、水が自由に通過可能の構造であればよく、上記のように孔６が形成されたもの、あるいは開口部が形成されたもの、さらには、導電体からなるメッシュで構成したものでもよい。第１の電極１をメッシュで構成すると、第１の電極１にフィルタの機能も持たせることもできる。【００２５】  図３は、本発明のミスト発生装置の第２実施形態であって、第１の電極１は水槽３の底面に取り付けられ、超音波発振器筺体２０上に取り付けられた超音波振動子４が、この第１の電極１の裏面に当接または固着されたものである。この実施形態でも、超音波振動子４により第２の電極４に超音波振動が付与され、水面から還元水ミストが発生する。【００２６】  図４は、本発明のミスト発生装置の第３実施形態であって、水供給バルブ１８から水を供給し、ドレイン９から水を排出することにより、水槽３内の水を循環させるようにしたものである。水槽３の内壁には水面のレベルを検知するレベル検知器１６が取り付けられている。水供給部から供給される水により、水面が上昇してこのレベル検知器１６に達すると、レベル検知器１６の検知信号により水供給バルブ１８を停止し、ミスト発生によりレベル検知器１６より水面が下がると、バルブ１８が開かれて水が供給され、このようにして水面レベルを一定に保つようにしている。この第３実施形態では、水が入れ替わるため、長時間還元水ミストを発生させることができる。【００２７】  図５は、本発明のミスト発生装置の第４実施形態であって、第１の電極１に超音波振動子４を取り付けたものである。この構成によれば、陰極である第１の電極１に付着するミネラル類が振動により除去されてドレイン９から流すことができる。
陰極に付着するミネラルを除去するには、このように振動で除去する方法のほか、所定時間ごとに第１の電極と第２の極性を入れ替える、すなわち、直流電源の極性をスイッチング操作で入れ替えるようにすることもできる。なお、図４に示す水流動方式では、水の流れによりある程度洗浄効果が得られる。【００２８】  図６は、発明のミスト発生装置の第４実施形態であって、第２実施形態のミスト発生装置を吹出口から噴出させるようにしたものである。容器１０の下部に水槽３、上部に吹出口１２を有し、下部の水槽３の部分が第２実施形態と同様のミスト発生装置Ａとなっている。吹出口１２の後部にはフィルタ１３およびファン１４が設けられている。必要に応じて、フィルタ１３とファン１４との間には、マイナスイオン発生器１１が配置されている。【００２９】  ミスト発生装置Ａから上昇する還元水ミストはファン１４により吹出口１２から噴出される。この吹出口１２から噴出されるミストは、配管２１を通じて閉じた空間２０に供給され、この空間２０を還元水ミスト雰囲気とする。閉じた空間２０としては、例えば、、冷蔵庫、生鮮食料品ケース等、寿司ネタのガラスケース、あるいは居室等、所望のものである。
居室に供給することにより、居室を還元水ミストで加湿することができ、冷蔵庫に供給することにより、内部の食料品の鮮度保持に利用することができ、あるいは、刺身や寿司ネタのガラスケースに吹き込むことにより、魚の鮮度を保つことができる。【００３０】  図７は、本発明のミスト発生装置の第５実施形態であって、第１実施形態のミスト発生装置を卓上型ミスト噴出器に構成した例である。
卓上容器１９の下部に水槽３、上部に吹出口１７を有し、下部の水槽３の部分が第１実施形態と同様のミスト発生装置Ａとなっている。吹出口１７の後部にはファン１８が設けられている。ミスト発生装置Ａから上昇する還元水ミストはファン１８により吹出口１７から吹き出される。使用者が顔を吹出口１７に近づけることにより、還元水ミストが顔に噴射され、還元水による美容効果を受けることができる。【００３１】  美容のためには、アストリンゼントとして酸性水が利用されることも知られており、このようなアストリンゼントとして利用する場合は第１の電極１を陽極に、第２の電極を陰極にすれば、第１の電極１側から酸性水のミストを発生させることができる。【００３２】  以上のように、本発明のミスト発生装置は、水面寄りに配置した第１の電極１と、これと対向する第２の電極２との間で電気分解をおこなうとともに、いずれかの電極を超音波振動させてミストを発生させるようにしたので、簡単な構成で還元水のミストが得られ、健康増進、環境改善、食品保全等、種々の用途に利用することができる。
【図面の簡単な説明】
【００３３】
【図１】本発明の本発明のミスト発生装置の第１実施形態を示す縦断側面図である。
【図２】同じく、平面図である。
【図３】本発明のミスト発生装置の第２実施形態を示す縦断側面図である。
【図４】同じく、平面図である。
【図５】本発明のミスト発生装置の第３実施形態を示す縦断側面図である。
【図６】ミスト発生装置を適用したミスト吹出器の縦断側面図である。
【図７】ミスト発生装置を適用した美顔器の縦断側面図である。
【符号の説明】
【００３４】１第１の電極
２第２の電極
３水槽
４超音波振動子
７直流電源
１２吹出口
１４ファン
１７吹出口
２０閉じた空間
Ａミスト発生装置
【図１】
2006095502.tif 000003
【図２】
2006095502.tif 000004
【図３】
2006095502.tif 000005
【図４】
2006095502.tif 000006
【図５】
2006095502.tif 000007
【図６】
2006095502.tif 000008
【図７】
2006095502.tif 000009